(57)【要約】      （修正有）【課題】市販の扇風機の羽根の前部に、重ねて取り付けることで速度の違う風を発生させ、空気を大きく拡散して送風し、自然の風のようにやさしく、広く遠くまで届ける二重羽根扇風機の補助羽根を提供する。【解決手段】羽根面積の大きいほうが風量が多く、また、羽根の枚数を増やすと空気を切る回数が増えて、送り出される風はやさしくなるということで、市販の扇風機の羽根径よりも径の小さな３枚羽根に切り込みを入れて枚数を増やした羽根を補助羽根とし、それにひねりを加えて、市販の扇風機の羽根の前部に重ねて取り付ける。紙製にすることでひねり具合や角度を変えたり、羽根の形状も簡単に加工、変更することが容易であり、重量も軽くなるのでモーターへの負担も軽微にできる。【選択図】図１
0003187664.tif 000002
【実用新案登録請求の範囲】
【請求項１】
市販の扇風機の３枚羽根と最近の主流の５枚羽根のそれぞれの長所をいかすため、その市販の扇風機の羽根径よりも小さい羽根径を持つ３枚羽根を基本形とし、その羽根に切り込みを入れて枚数を多くした羽根を、市販の扇風機の羽根の前部に重ねて取り付けて、速度の違う風を発生させて空気を大きく拡散することにより、やさしい風を広く、遠くまで届けようとすることを特徴とする二重羽根扇風機の補助羽根。
【請求項２】
請求項１に記載の二重羽根扇風機の補助羽根を紙製にすることで、ひねり具合や角度の強弱、羽根形状の加工や変更が容易であり、重量も軽いためモーターへの負担も軽微であることを特徴とする二重羽根扇風機の補助羽根。
【請求項３】
請求項１に記載の二重羽根扇風機の補助羽根の機能をさらに高めるために、形状を変更、追加、加工したことを特徴とする二重羽根扇風機の補助羽根。
【考案の詳細な説明】
【技術分野】
【０００１】  家庭用扇風機の羽根は３枚羽根、最近は５枚羽根が主流となっている。それぞれに特長というか、長所、短所がある。【０００２】  ３枚羽根は羽根面積が大きいために風量が多い。そのためゆっくりでも風は届くのだが、体に感じる風はやさしくなく、ときには強い風を吹きつけられているようにも感じられ、長時間風にあたっていると冷えすぎてしまうことにもなる。【０００３】  これに対して最近の主流である５枚羽根では、羽根枚数が増えることで空気を切る回数が増えるということになり、体に感じる風はやさしく、睡眠中にかけっぱなしにしても、心地よい風が得られる。しかし羽根面積が小さくなるために、遠くまで届きにくく、風量が欲しいときには、モーターを高速回転させなければならず、風切り音は大きくなりモーター自身の発熱も伴うため、涼しくなる所か、生ぬるい風を浴びることになってしまう。【０００４】  このことは扇子に例えるならば、目いっぱい開いた状態ではゆっくり扇いだだけでも風はくるが、すこししか開いていない状態ではほとんど風はこないし、風が欲しければ手首をはげしく振らなければならない。
【考案の概要】
【０００５】  ３枚羽根、５枚羽根それぞれの長所はそのままに、短所の部分をすこしでも補うことが出来れば、体にやさしく感じる風が得られて、遠くまで届けることが出来る。
【考案が解決しようとする課題】
【０００６】  市販の扇風機の羽根の前部に、市販の扇風機の羽根径よりも径の小さい、枚数の違う羽根を重ねて装着して、速度の違う風を生じさせることにより、空気を大きく拡散して送風すれば、体に感じる風が自然の風のようにやさしく、広く遠くまで届けられる
【課題を解決するための手段】
【０００７】  ３枚羽根の形状を残しながら、その羽根に切り込みを入れて、枚数の多い羽根にすることで、空気を切る回数を増やすことになり、大きい風の波ではなく、やさしい小さい風の波になる。【０００８】  この考案の羽根と、取り付ける本体となる市販の扇風機の羽根の枚数の差によって、速度の違う風を生じさせて、空気を大きく拡散して送風し、体に感じる風の感覚が自然の風のようにやさしく、広く遠くまで届ける。
【図面の簡単な説明】
【０００９】
【図１】図２から不要部分を切り落とし、３枚羽根の様相をしている羽根に切り込みを入れ、円の中心に向かって放射線状の切り込みと、モーター回転軸に差し込むための穴を開けた羽根図。
【図２】３０度の角度で１２等分の放射線状の線と大小２つの円の線引き図。
【図３】機能を高めるために図１では切り落とした部分を切らずに残して、形状を変更、追加、加工した羽根図。
【考案を実施するための形態】
【実施例１】
【００１０】  図１の形態にするために、図２のように直径２０ｃｍほどの円形の厚紙に３０度の角度で１２等分にした放射線状の線を書き、中心から半径４．５ｃｍから５ｃｍほどの円Ａと、半径２ｃｍから２．５ｃｍほどの円Ｂを書く。【００１１】  中心部分を扇風機のモーター回転軸にさしこむために、直径１ｃｍほどの円形に切り落とす。内側に書いた円Ｂのところから中心にむかって放射線状の線に切り込みを入れる。外側に書いた円Ａのところから外周の縁まで、放射線状の線に切り込みを入れる。【００１２】  内側の円Ｂから中心にむかっての切り込みは、市販の扇風機の羽根の前部に重ねて取り付けるのに、各メーカーによってモーター回転軸への羽根を固定する逆ねじ止め具の羽根の取り付け方法や寸法が同一ではないため、この切込みを付けることで柔軟に対応することが出来る。【００１３】  外側の円Ａから外周の縁に向かっての切り込み部分が羽根となる。この状態では１２枚の羽根になっているが、羽根１ａ、２ａ、３ａの３枚を１グループ、羽根５ａ、６ａ、７ａの３枚を１グループ、羽根９ａ、１０ａ、１１ａの３枚を１グループとする３枚の大きい羽根に見立てる。そしてこの３グループに入らない羽根４ａ、８ａ、１２ａを切り落としたのが図１である。【００１４】  羽根１ａ、５ａ、９ａは空気を切り取り、掴むという役割があり、羽根２ａ、６ａ、１０ａではその空気を次へ送り、羽根３ａ、７ａ、１１ａはその空気を風として送り出す役目をする。それを確実にするためには、ひねりの具合や角度が必要になってくるのだが、あえて紙製にした理由もここにあり、各自の創意工夫でひねり具合や角度を強くしたり、弱くしたりしてやさしい風を得ようという発想である。
【実施例２】
【００１５】  実施例１のところで切り落としていた羽根４ａ、８ａ、１２ａを切り落とさずに残して、空気を切り取り、広く遠くまで届ける能力を高めるため図３のように形状を変更、追加、加工して、この形状にひねりを加えることにより、さらに効果が見込め、そして紙製であることで、創意工夫して形状、ひねり具合や角度の強弱の変更などが容易に出来る。
【符号の説明】
【００１６】Ａ      外側の円
Ｂ      内側の円
１ａ    羽根
２ａ    羽根
３ａ    羽根
４ａ    羽根
５ａ    羽根
６ａ    羽根
７ａ    羽根
８ａ    羽根
９ａ    羽根
１０ａ  羽根
１１ａ  羽根
１２ａ  羽根
【図１】
0003187664.tif 000003
【図２】
0003187664.tif 000004
【図３】
0003187664.tif 000005
【手続補正書】
【提出日】平成25年9月20日(2013.9.20)
【手続補正１】
【補正対象書類名】実用新案登録請求の範囲
【補正対象項目名】請求項３
【補正方法】変更
【補正の内容】
【請求項３】
請求項１に記載の二重羽根扇風機の補助羽根において、補助羽根の先端部分の角を、丸みをつけた形状にする、および／または空気を切り取り、送り出す役目をする部分の羽根の形状を大きくすることで、補助羽根の機能をさらに高めることを特徴とする二重羽根扇風機の補助羽根。